(57)【要約】【課題】  印刷紙面にエラーが発生したとき、警告の内容を視認できるようにする。【解決手段】  センサ（１２）で印刷紙面（３１）を検知し、検知された印刷紙面（３１）の状態を判別する印刷紙面検査方法と装置において、判別された印刷紙面（３１）の状態に基づいて所定の間隔で表示灯（４６）を点灯させる。センサ（１２）によって検知された印刷紙面（３１）の状態を判別するための処理部（４２）を設け、処理部（４２）を表示灯（４６）に接続する。【選択図】  図１
2005131812.tif 000002
【特許請求の範囲】
【請求項１】
センサ（１２）で印刷紙面（３１）を検知し、検知された印刷紙面（３１）の状態を判別し、判別された印刷紙面（３１）の状態に基づいて表示灯（４６）を点灯させる印刷紙面検査方法において、判別された印刷紙面（３１）の状態に応じた点滅パターンで表示灯を点滅させることを特徴とする印刷紙面検査方法。
【請求項２】
判別された印刷紙面（３１）の状態に応じて所定の管理信号を設定し、管理信号に基づいて所定の周期パターンで表示灯（４６）を点滅させることを特徴とする請求項１に記載の印刷紙面検査方法。
【請求項３】
表示灯（４６）が、判別された印刷紙面（３１）の状態に応じた警告内容にしたがって所定の点滅周期パターンで点灯されることを特徴とする請求項１又は２に記載の印刷紙面検査方法。
【請求項４】
表示灯（４６）が、緊急性の低い警告内容の場合は、スローテンポに点滅し、緊急性の高い警告内容の場合は、ハイテンポに点滅することを特徴とする請求項３に記載の印刷紙面検査方法。
【請求項５】
表示灯（４６）が、印刷紙面（３１）の表面と裏面のいずれが判別されているかを示すための表示部（４６ａ、４６ｂ）を有していることを特徴とする請求項１〜４のいずれか１項に記載の印刷紙面検査方法。
【請求項６】
印刷紙面（３１）を検知するためのセンサ（１２）と、センサ（１２）によって検知された印刷紙面（３１）の状態を判別するための処理部（４２）と、処理部（４２）に接続された表示灯（４６）を備え、表示灯（４６）が判別された印刷紙面（３１）の状態に基づいて所定のパターンで点滅する構成にしたことを特徴とする印刷紙面検査装置。
【請求項７】
判別される印刷紙面（３１）の状態に応じて所定の複数の警告内容が設定されていて、表示灯（４６）が警告内容に基づいて所定の周期パターンで点滅することを特徴とする請求項６に記載の印刷紙面検査装置。
【請求項８】
表示灯（４６）が、印刷紙面（３１）の表面と裏面のいずれが判別されているかを示すための表示部（４６ａ、４６ｂ）と、警告内容を表示する警告表示部（４６ｃ）を有し、警告表示部（４６ｃ）が所定のパターンで点滅する構成にしたことを特徴とする請求項６又は７に記載の印刷紙面検査装置。
【請求項９】
表示灯（４６）は、検査装置で直接制御されるように構成されており、検査装置は、複数の警告内容を管理しており、表示灯（４６）は、警告内容に従い、あらかじめパターン化された点滅周期で点灯することを特徴とする請求項６〜８のいずれか１項に記載の印刷紙面検査装置。
【発明の詳細な説明】
【技術分野】
【０００１】
本発明は、印刷紙面検査方法及び装置に関し、たとえばオフセット印刷機向けの印刷紙面検査方法及び装置に関する。
【背景技術】
【０００２】
印刷紙面検査装置は、一般に紙面を検査処理部で監視し、合否判定をし、紙面に汚れなどの異常があった場合、その異常を知らせるものである。
【０００３】
例えば、商業用オフセット印刷の分野においては、光センサ技術によって印刷中の高速紙面を全紙面にわたって検査している。印刷工程の高速化の観点から、印刷紙面のエラーを検知した場合、直ちに警告を発してその後の迅速な処理を可能にする装置が望まれている。
【０００４】
従来、印刷紙面の合否判定は、主に検査画面（ディスプレイ装置）で表示されていた。
【０００５】
しかしながら、オペレータが検査画面の前に常時いるとは限らず、視認性の高い警告で合否判定を伝えることが運用上必要であった。
【０００６】
そこで、特許文献１には、警告が発生した際の情報伝達の利便性を高めるため、印刷紙面の警告を表示する積層表示灯が示されている。
【特許文献１】特開２００２−２９２８３０号公報
【発明の開示】
【発明が解決しようとする課題】
【０００７】
しかしながら、特許文献１に記載の検査装置では、積層表示灯により印刷紙面のエラー存在を視認出来るものの、エラーの内容までは視認できない。すなわち、エラーの内容が緊急性の高いものであるか低いものであるかは視認できない。
【０００８】
そこで本発明は、印刷紙面におけるエラーの内容を視認できる印刷紙面検査方法及び装置を提供することを目的としている。
【課題を解決するための手段】
【０００９】
本発明の解決手段を例示すると、次のとおりである。
【００１０】
（１）センサ（１２）で印刷紙面（３１）を検知し、検知された印刷紙面（３１）の状態を判別し、判別された印刷紙面（３１）の状態に基づいて表示灯（４６）を点灯させる印刷紙面検査方法において、判別された印刷紙面（３１）の状態に応じた点滅パターンで表示灯を点滅させることを特徴とする印刷紙面検査方法。
【００１１】
（２）判別された印刷紙面（３１）の状態に応じて所定の管理信号を設定し、管理信号に基づいて所定の周期パターンで表示灯（４６）を点滅させることを特徴とする前述の印刷紙面検査方法。
【００１２】
（３）表示灯（４６）が、判別された印刷紙面（３１）の状態に応じた警告内容にしたがって所定の点滅周期パターンで点灯されることを特徴とする前述の印刷紙面検査方法。
【００１３】
（４）表示灯（４６）が、緊急性の低い警告内容の場合は、スローテンポに点滅し、緊急性の高い警告内容の場合は、ハイテンポに点滅することを特徴とする前述の印刷紙面検査方法。
【００１４】
（５）表示灯（４６）が、印刷紙面（３１）の表面と裏面のいずれが判別されているかを示すための表示部（４６ａ、４６ｂ）を有していることを特徴とする前述の印刷紙面検査方法。
【００１５】
（６）印刷紙面（３１）を検知するためのセンサ（１２）と、センサ（１２）によって検知された印刷紙面（３１）の状態を判別するための処理部（４２）と、処理部（４２）に接続された表示灯（４６）を備え、表示灯（４６）が判別された印刷紙面（３１）の状態に基づいて所定のパターンで点滅する構成にしたことを特徴とする印刷紙面検査装置。
【００１６】
（７）判別される印刷紙面（３１）の状態に応じて複数の所定の警告内容が設定されていて、表示灯（４６）が警告内容に基づいて所定の周期パターンで点滅する構成にしたことを特徴とする前述の印刷紙面検査装置。
【００１７】
（８）表示灯（４６）が、印刷紙面（３１）の表面と裏面のいずれが判別されているかを示すための表示部（４６ａ、４６ｂ）と、警告内容を表示する警告表示部（４６ｃ）を有し、警告表示部（４６ｃ）が所定のパターンで点滅する構成にしたことを特徴とする前述の印刷紙面検査装置。
【００１８】
（９）表示灯（４６）は、検査装置で直接制御されるように構成されており、検査装置は、複数の警告内容を管理しており、表示灯（４６）は、警告内容に従い、あらかじめパターン化された点滅周期で点灯することを特徴とする前述の印刷紙面検査装置。
【発明の効果】
【００１９】
本発明によれば、印刷紙面にエラーが発生したとき、警告内容を容易に視認できる。
【００２０】
たとえば、判別される印刷紙面の状態に対して所定の警告内容を予めいろいろと設定しておき、好ましくは、それらに応じて管理信号たとえば管理番号を設定しておき、管理番号に基づいて所定の間隔で表示灯を点灯させれば、エラーの内容を細かく区別して管理でき、各管理番号に対応した多様な点灯方法を設定できる。
【００２１】
表示灯（警告灯ともいう）に警告内容を表示する警告表示部を設け、警告表示部を警告内容にしたがった所定の点滅パターンで点灯させるようにすれば、オペレータは、いろいろな警告の内容を視認できる。
【００２２】
表示灯を、印刷紙面の表面と裏面に共通の表示部で構成し、表示部を所定の間隔で点灯させるようにすれば、表面と裏面のエラーの内容を１つの表示部で視認できる。
【発明を実施するための最良の形態】
【００２３】
本発明による印刷紙面検査方法及び装置は、特にオフセット印刷機に適している。
【００２４】
本発明による印刷紙面検査方法及び装置は、センサで印刷紙面を検知し、検知された印刷紙面の状態を判別し、判別された印刷紙面の状態に基づいて予め設定された複数の警告内容に応じた所定の間隔（点滅パターン）で表示灯（警告灯ともいう）を点灯させるものである。
【００２５】
判別された印刷紙面の状態に対して複数の適当な警告内容を予め決めておき、それらに応じた所定の管理信号たとえば管理番号を設定しておく。そして、この管理番号に基づいて所定の間隔で表示灯を点灯させてもよい。
【００２６】
表示灯が、印刷紙面の表面と裏面の少なくとも一方のための表示部と、警告内容を表示するための警告表示部から構成され、警告表示部を所定の間隔で点灯させる構成にしても良い。
【００２７】
表示灯が、印刷紙面の表面と裏面を任意に表示するための表示部から構成され、表示部を所定の間隔で点灯させる構成にしてもよい。
【００２８】
本発明によれば、表示灯の点滅時間を制御し、点滅にパターン（点消灯周期）を持たせ、このパターンにより種々の警告内容をオペレータに伝えることができる。表示灯の点滅は、検査装置で直接制御することが好ましい。例えば、検査装置は、複数の警告内容を管理し、警告内容に従ってあらかじめパターン化された点滅周期で表示灯を制御することができる。
【実施例】
【００２９】
以下に示す実施例においては、発光部から発光した光を印刷紙面の表面と裏面の両方に照射している態様であるが、表面と裏面のいずれか一方に照射する構成にしても良い。
【００３０】
また、図示された実施例においては、エラー内容は３つに分類されているが、２つに分類しても４つ以上に分類しても良い。
【００３１】
図示された実施例において、表示灯は、表面表示部、裏面表示部及び警告表示部から構成されているが、警告表示部のみで構成しても良いし、表面表示部及び裏面表示部のいずれかと警告表示部から構成しても良い。表示灯を、表面表示部及び裏面表示部から構成し、これらを所定の間隔で点灯させてもよい。
【００３２】
図示された実施例において、表示灯は、上記表示部のうちの１つを所定の間隔で点灯させているが、複数の表示部を組み合わせて点灯させることにより、種々の内容を表現する構成にしても良い。表示灯は、上記表示部を一体的に設ける構成が好ましいが、別体にしても良い。
【００３３】
本発明において、所定のパターンで表示灯を点滅させるとは、最も広義なものを意味し、例えば数秒間隔で点灯させたり消灯させることの他、常時点灯させることや、消灯を維持することを含む。さらに、点灯時間と消灯時間をいろいろと変化させたり、それらの組合せを変化させることもできる。
【００３４】
以下、図面を参照して本発明の実施例を説明する。
【００３５】
図１は、本発明の主要構成を概念的に示す。
【００３６】
印刷紙面検査装置１は、センサ１２、本体４２、シーケンサ４４、及び表示灯（警告灯ともいう）４６を有している。
【００３７】
図２は、センサ１２周辺の構成を光センサ装置１０として示す。
【００３８】
光センサ装置１０は、発光部２０と受光部４０を有する。光センサ装置１０は、発光部２０から発光した光を印刷紙面３１に照射し、印刷紙面３１からの反射光を受光部４０で受けて電気量に変換する構成になっている。
【００３９】
発光部２０は、単色型発光素子１１とその制御部１３を備えている。受光部４０は、受光素子からなるセンサ１２を備えている。
【００４０】
制御部１３は、発光素子１１から発光させる光の波長の範囲、すなわち波長の帯域を制御する。制御部１３には、そのためのダイヤル１４、１５が配置されている。制御部１３のダイヤル１４、１５を操作することにより、印刷紙面３１に当てる光の波長の幅と位置の両方を制御することができる。
【００４１】
図２においては、発光部２０から発光した光を印刷紙面３１の表面と裏面のいずれか一方のみに照射している態様が図示されているが、印刷紙面３１の他方の紙面にも同様に発光部２０から発光した光を照射するようにしてもよい。
【００４２】
センサ１２は、本体４２に接続されている。本体４２は、表示部、操作部及び処理部等からなる。本体４２は、予めセンサ１２で基準となる印刷内容を写像として読み込んで印刷の内容や色合を記憶しておき、その後、各検査対象である印刷紙面３１から反射した写像を読み取って、基準となる写像と比較して印刷紙面３１の状態を判別するようになっている。印刷紙面３１の状態を判別する手法自体は既知であるので、その説明を省略する。本体４２は、印刷紙面３１の状態を後述するシーケンサ４４に送信する。
【００４３】
本体４２には、シーケンサ４４が接続されている。シーケンサ４４は、本体４２から印刷紙面３１の状態を受信するとともに、判別の結果に基づき、予め指定された複数の点滅パターンで表示灯４６を点灯させるものである。
【００４４】
図３は、表示灯４６の一例を示す。
【００４５】
表示灯４６は、印刷紙面３１の表面に専用の表面表示部４６ａと、印刷紙面３１の裏面に専用の裏面表示部４６ｂと、印刷紙面３１の不良状態（エラー）を警告として表示する警告表示部４６ｃを有する。表面表示部４６ａと、裏面表示部４６ｂと、警告表示部４６ｃが、３層に並べて構成されている。さらに、各表示部は異なる色に設定されており、図３に示された実施例においては、表面表示部４６ａの表示色が黄色であり、裏面表示部４６ｂの表示色が緑色または青色であり、警告表示部４６ｃの表示色が赤色である。表面表示部４６ａと裏面表示部４６ｂは、表面と裏面にエラーが存在したときに点灯するようになっている。
【表１】
2005131812.tif 000003
表１は、表示灯４６の管理の仕方の一例を示す。印刷紙面の状態は、「エラー内容」として「エラーなし」、「エラー小」及び「エラー大」の３つに分類されている。「エラーなし」、「エラー小」及び「エラー大」には、それぞれ０、１及び２の管理番号が付されており、消灯、０．５秒、０．３秒の表示灯４６の点灯間隔が対応している。これはすなわち、エラーがないときは消灯、緊急性の低い時はスローテンポな点灯（０．５秒間隔）、緊急性の高い時はハイテンポな点灯（０．３秒間隔）を行うことに対応している。
【００４６】
次に、特に印刷紙面にエラーが存在する場合について、処理の流れを説明する。
【００４７】
（１）  センサで印刷不良を検知する。すなわち、印刷紙面３１に存在するエラーを、センサ１２で検知する。
【００４８】
（２）  本体で不良内容を判別する。すなわち、検知されたエラーが、「エラー小」と「エラー大」のいずれに該当するかを本体４２で判別する。なお、エラーが検知されない場合は、印刷紙面３１は「エラーなし」に判別される。
【００４９】
（３）  シーケンサに対し管理番号を送る。すなわち、「エラー小」の場合は管理番号１が、「エラー大」の場合は管理番号２がシーケンサ４４に送られる。なお、「エラーなし」の場合は、管理番号０がシーケンサ４４に送られる。
【００５０】
（４）管理番号に基づき、予め指定された間隔で表示灯を点灯させる。すなわち、「エラー小」のときは０．５秒間隔で、「エラー大」のときは０．３秒間隔で表示灯４６が点滅するようになっている。なお、「エラーなし」のとき表示灯４６は消灯する。
【００５１】
例えば、印刷紙面３１の表面にエラー大に判別されるエラーが存在した場合、警告表示部４６ｃが０．３秒間隔で点滅する。このとき、同時に表面表示部４６ａを点灯させると、オペレータは印刷紙面３１の表面にエラー大に該当するエラーが存在することを視認することができる。別の例では、印刷紙面３１の裏面にエラー小に判別されるエラーが存在した場合、警告表示部４６ｃが０．５秒間隔で点滅する。このとき、同時に表面表示部４６ｂを点灯させると、オペレータは印刷紙面３１の裏面にエラー小に該当するエラーが存在することを視認することができる。
【００５２】
なお、本発明は図示された実施例に限定されない。表示灯を点灯させる間隔は任意に設定できる。
【図面の簡単な説明】
【００５３】
【図１】本発明による印刷紙面検査装置の主要構成を概念的に示す。
【図２】センサを設けた光センサ装置の構成を概念的に示す。
【図３】表示灯の一例を示す。
【符号の説明】
【００５４】
１  印刷紙面検査装置
１０  光センサ装置
１１  発光素子
１２  センサ
１３  制御部
１４、１５  ダイヤル
２０  発光部
３１  印刷紙面
４０  受光部
４２  本体
４４  シーケンサ
４６  表示灯
４６ａ  表面表示部
４６ｂ  裏面表示部
４６ｃ  警告表示部
【図１】
2005131812.tif 000004
【図２】
2005131812.tif 000005
【図３】
2005131812.tif 000006